(57)【要約】【課題】  被梱包物品を、その外側面を取り囲むことにより梱包するようにした梱包体であって、形状、大きさにかかわらず、同じ態様にて、簡単、容易に被梱包物品を梱包することができ、しかも繰り返し物品を梱包することができ、再使用ができる。【解決手段】  帯状の平板材１に、その長手方向に等間隔をあけて交互に反対方向に折り曲げられる山折り部２と谷折り部３とを設け、その平板材１を、その谷折り部３が、被梱包物品Ａの外周面を圧接支持するように巻き込み、平板材１端縁の差込舌片７を谷折り部３に設けた差込スリット５に差込み係合する。【選択図】    図１
2009173316.tif 000002
【特許請求の範囲】
【請求項１】
上下面が開放されていて被梱包物品（Ａ）の外側面を取り囲むようにして、該被梱包物品（Ａ）を梱包するようにした梱包体であって、
被梱包物品（Ａ）の外側面を覆うに必要な覆幅（Ｄ）を有して帯状に形成される平板材（１）を備え、該平板材（１）には、その長手方向に等間隔をあけて覆幅方向に交互に入れられる複数の山折り線（Ｌ１）と谷折り線（Ｌ２）に沿って交互に反対方向に折り曲げ成形される、山折り部（２）と谷折り部（３）とが設けられ、前記複数の谷折り部（３）には、その谷折り線（Ｌ２）に沿って差込スリット（５）が穿設され、かつ、前記平板材（１）の端縁には、前記複数の差込スリット（５）の一つに選択的に差込係止し得る差込舌片（７）が設けられ、前記平板材（１）が被梱包物品（Ａ）の外側面を取り囲むときに、前記複数の谷折り部（３）がその外側面を当接支持するようにされていることを特徴とする、梱包体。
【請求項２】
前記平板材（１）は、一枚の弾性板により形成されており、前記複数の山折り部（２）および谷折り部（３）の折り曲げ角度（α，β）は、自在に弾性変形可能であると共に、各相隣り合う山折り線（２）と谷折り線（３）とで囲まれる矩形状平面部分（４）は、同じ幅を有していて相互に重なり合うようにされていることを特徴とする、前記請求項１記載の、梱包体。
【請求項３】
前記平板材（１）の山折り部（２）は、その山折り線（Ｌ１）に沿って折り曲げ易いように、各山折り線（Ｌ１）に沿って折り溝（６）が形成されていることを特徴とする、前記請求項１または２記載に梱包体。
【請求項４】
前記平板材（１）は、合成樹脂材により一体成型されていることを特徴とする、前記請求項１，２または３記載の梱包体。
【請求項５】
前記平板材（１）により梱包した複数の被梱包物品（Ａ）を設置面上に隣接並置したとき、各物品を梱包した平板材（１）により別の物品収容空間（Ｓ）が画成されることを特徴とする、前記請求項１，２，３または４記載の梱包体。
【請求項６】
上下面が開放されていて被梱包物品（Ａ）の外側面を取り囲むようにして、該被梱包物品を梱包するようにした梱包体であって、
被梱包物品（Ａ）の外側面を覆うに必要な覆幅（Ｄ′）を有して無端状の多角形状をなす筒状体（１１）を備え、前記筒状体（１１）は、その長手方向に等間隔をあけて覆幅方向に交互に入れられる複数の山折り線（Ｌ１０）と谷折り線（Ｌ１１）に沿って交互に反対方向に折り曲げ成形される、山折り部（１２）と谷折り部（１３）とを有し、かつ、前記筒状体（１１）の周面には、筒状体（１１）内方の梱包空間を収縮・拡張し得る紐条（１５）が挿通されていることを特徴とする、梱包体。
【発明の詳細な説明】
【技術分野】
【０００１】
本発明は、製品、部品などの物品を輸送する際に用いられる梱包体に関し、特に、繰り返して使用が可能な、梱包体に関する。
【背景技術】
【０００２】
従来、製品、物品などの物品を輸送する場合に、輸送中に物品が相互に干渉したり、損傷、破損したりすることなく、安定して保持できるように梱包体が使用され、このような梱包体として段ボールよりなる使い捨ての梱包体が最も良く知られているが、このような梱包体は、使用後に廃棄処分するので、資源の有効利用や自然環境の観点から好ましくないばかりかコスト高になる。
【０００３】
そこで、近年では、できるだけ繰り返して使用を可能としたリターナブルの梱包体が使用されるようになってきており、たとえば、後記特許文献１に開示される組立式梱包体によれば、使用後は、一部折りたたんだ状態で梱包体一式を梱包工場へ返却して再利用することができるようにしている。
【特許文献１】特開２００６−３２１５３８号公報
【発明の開示】
【発明が解決しようとする課題】
【０００４】
しかしながら、かかる従来のリターナブルの梱包体は、
(1) 折りたたみなどの返却作業に手間がかかり、回収時の作業コストが嵩む。
【０００５】
(2) 物品を取り出した後の空の梱包体の置き場所を確保する必要がある。
【０００６】
(3) 大きさの異なる物品や形状の異なる物品の梱包に対応するのが難しい。
【０００７】
(4) 大量の物品を安定して保持して梱包するのが難しい。
【０００８】
などの問題がある。
【０００９】
本発明はかかる実情に鑑みてなされたものであり、前記問題を解決できるようにした新規な梱包体を提供することを目的とする。
【課題を解決するための手段】
【００１０】
前記目的達成のため、請求項１の発明は、上下面が開放されていて被梱包物品の外側面を取り囲むようにして、該被梱包物品を梱包するようにした梱包体であって、
被梱包物品の外側面を覆うに必要な覆幅を有して帯状に形成される平板材を備え、該平板材には、その長手方向に等間隔をあけて覆幅方向に交互に入れられる複数の山折り線と谷折り線に沿って交互に反対方向に折り曲げ成形される、山折り部と谷折り部とが設けられ、前記複数の谷折り部には、その谷折り線に沿って差込スリットが穿設され、かつ、前記平板材の端縁には、前記複数の差込スリットの一つに選択的に差込係止し得る差込舌片が設けられ、前記平板材が被梱包物品の外側面を取り囲むときに、前記複数の谷折り部がその外側面を当接支持するようにされていることを特徴としている。
【００１１】
前記目的達成のため、請求項２の発明は、前記請求項１記載のものにおいて、前記平板材は、一枚の弾性板により形成されており、前記複数の山折り部および谷折り部の折り曲げ角度は、自在に弾性変形可能であると共に、各相隣り合う山折り線と谷折り線とで囲まれる矩形状平面部分は、同じ幅を有していて相互に重なり合うようにされていることを特徴とする、
前記目的達成のため、請求項３の発明は、前記請求項１または２記載のものにおいて、前記平板材の山折り部は、その山折り線に沿って折り曲げ易いように、各山折り線に沿って折り溝が形成されていることを特徴としている。
【００１２】
前記目的達成のため、請求項４の発明は、前記請求項１，２または３記載のものにおいて、前記平板材は、合成樹脂材により一体成型されていることを特徴としている。
【００１３】
前記目的達成のため、請求項５の発明は、前記請求項１，２，３または４記載のものにおいて、前記平板材により梱包した複数の被梱包物品を設置面上に隣接並置したとき、各物品を梱包した平板材により別の物品収容空間が画成されることを特徴としている。
【００１４】
前記目的達成のため、請求項６の発明は、上下面が開放されていて被梱包物品の外側面を取り囲むようにして、該被梱包物品を梱包するようにした梱包体であって、
被梱包物品の外側面を覆うに必要な覆幅を有して無端状の多角形状をなす筒状体を備え、前記筒状体は、その長手方向に等間隔をあけて覆幅方向に交互に入れられる複数の山折り線と谷折り線に沿って交互に反対方向に折り曲げ成形される、山折り部と谷折り部とを有し、かつ、前記筒状体の周面には、筒状体内方の梱包空間を収縮・拡張し得る紐条が挿通されていることを特徴としている。
【発明の効果】
【００１５】
請求項１〜５項記載の発明によれば、物品の大きさ、形状にかかわらず、同じ態様にて、簡単、容易に被梱包物品を梱包することができ、しかも繰り返し物品を梱包することができ、再使用ができる。
【００１６】
また、複数の谷折り部により被梱包物品を安定して保持することができる。梱包体は、複数の山折り部と谷折り部とで平面視でジグザグ状に星状に形成されるので、被梱包物品が重量物であっても横倒れすることがなく、大きな横方向の保持耐力を発揮することができ、しかも梱包済みの被梱包物品を段積みする際には、段毎に仕切りを設けるだけで段積みが可能になる。
【００１７】
さらに、差込舌片を差込スリットに差し込むだけで梱包できるので梱包および梱包解除操作がきわめて簡単である。
【００１８】
さらにまた梱包体は不使用時には、平板状に重ねてストックでき運搬に便利であるばかりでなく広い格納スペースを必要とせず、格納箇所の確保が容易であり、また、梱包体は平板材により形成できるので、きわめて廉価に提供することができる。
【００１９】
請求項２記載の発明によれば、複数の山折り部および谷折り部の折り曲げ角度は、自在に弾性変形可能であると共に、各相隣り合う山折り線と谷折り線とで囲まれる矩形状平面部分は、同じ幅を有していて相互に重なり合うようにされているので、形状、大きさの異なる被梱包物品を確実に安定よく、しかもコンパクトに梱包することができる。
【００２０】
請求項３記載の発明によれば、平板材の山折り部は、その山折り線に沿って折り曲げ易いように、各山折り線に沿って折り溝が形成されてので、被梱包物品の梱包操作が一層容易になる。
【００２１】
請求項４記載の発明によれば、平板材を交互に反対方向に折り曲げ成形加工するのがきわめて容易になる。
【００２２】
請求項５記載の発明によれば、平板材により梱包した複数の被梱包物品を設置面上に隣接並置したとき、各物品を梱包した平板材により別の物品収容空間が画成されることができるので、複数の梱包体を使用する場合に、それらの梱包体の間に新たな被梱包物品を梱包することができ、これにより梱包体の節減に寄与し得る。
【００２３】
請求項６記載の発明によれば、物品の大きさ、形状にかかわらず、同じ態様にて、簡単、容易に被梱包物品を梱包することができ、しかも繰り返し物品を梱包することができ、再使用ができる。
【００２４】
また、複数の谷折り部により被梱包物品を安定して保持することができる。梱包体は、複数の山折り部と谷折り部とで平面視でジグザグ状に星状に形成されるので、被梱包物品が重量物であっても横倒れすることがなく、大きな横方向の保持耐力を発揮することができ、しかも梱包済みの被梱包物品を段積みする際には、段毎に仕切りを設けるだけで段積みが可能になる。
【００２５】
またさらに、梱包体は不使用時に、空間を潰すように弾性変形させた状態で平板状に重ねて運搬することも可能である。
【発明を実施するための最良の形態】
【００２６】
以下、本発明の実施の形態を、添付図面に例示した本発明の実施例に基づいて以下に具体的に説明する。
【００２７】
まず、図１〜７を参照して、本発明の第１実施例について説明する。
【００２８】
図１は、被梱包物品を梱包した状態を示す梱包体の斜視図、図２は、図１の２矢視図、図３は、平板材の展開正面図、図４は、平板材を山折り線および谷折り線に沿って折り込み成形した状態の斜視図、図５は、図３の５−５線に沿う拡大断面図、図６は、大きさの異なる被梱包物品を梱包した状態を示す梱包体の平面図、図７は、複数の被梱包物品の梱包の一使用態様を示す図である。
【００２９】
図１〜４において、本発明にかかる梱包体の主体部は、帯状の平板材１より構成される。この平板材１は、ポリプロピレン、ポリエチレンの混合物で形成されるスポンジ板などの弾性発泡合成樹脂板により一体に形成されており、細長い帯状に形成され、その全長は、被梱包物品Ａの外側面を取り囲み、かつ、その一部が相互に余裕をもって重なり合うほどの長さに形成される。平板材１には、その長手方向に等間隔をあけ、覆幅すなわち上下幅Ｄ方向に、複数の山折り線Ｌ１…および谷折り線Ｌ２…が交互の入れられており、図４に示すように、それらの山折り線Ｌ１および谷折り線Ｌ２に沿って交互にジグザグ状に折り込まれて複数の山折り部２…と谷折り部３…が交互に形成される。各相隣り合う山折り線Ｌ１と谷折り線Ｌ２との間には、同じ幅を有する矩形状平面部分４…がそれぞれ形成されていて、それらの平面部分４…は相互に重なり合わせることができる。そして、平板材１が弾性板により形成されることから各山折り部２および谷折り部３の折り曲げ角度αおよびβは、成形された状態から自在に弾性変形が可能であり、後に述べるように、被梱包物品の大きさや形状に対応してそれらの角度αおよびβが自在に変形調整される。
【００３０】
図３，４に示すように、平板材１の複数の谷折り部３…には、谷折り線Ｌ２…に沿って差込スリット５…が穿設されていると共に複数の山折り部２…には、山折り線Ｌ１…に沿って浅い折り溝６が形成されており、平板材１は、前記差込スリット５…および折り溝６…により、谷折り線Ｌ２…および山折り線Ｌ１…に沿ってそれぞれ折り曲げ易いようにされている。また、平板材１の長手方向の一端縁には、差込舌片７が一体に形成されており、この差込舌片７は、被梱包物品Ａの梱包時に、前記複数の差込スリット５…の一つに選択的に差込み係止される。
【００３１】
なお、前記差込舌片７は平板材１の長手方向の両端縁にそれぞれ設けてもよい。
【００３２】
つぎに、前記梱包体を用いて被梱包物品Ａを梱包する手順について説明する。
【００３３】
図１，２に示すように、平板材１よりなる梱包体は、被梱包物品Ａの外側面を全周にわたり巻込む。このとき、平板材１の覆幅Ｄは、被梱包物品Ａの高さと略同じ寸法であり、該物品Ａの外側面をその全域にわたり覆うようにされる。そして、複数の谷折り部３…は、物品Ａの外側面に周方向に間隔をあけて弾発圧接され、物品Ａの外側面は、多角筒状に巻き込まれた梱包体の谷折り部３…によって当接支持される。そして、平板材１の両自由端の余剰部分は、相互に重なり合い、その際に谷折り部３…と山折り部２…間の矩形状平面部分４は相互に密接され、差込舌片７を、複数の差込スリット５の一つに差込み係止する。
【００３４】
以上のように、梱包された被梱包物品は、移送台や移送箱などに載置されて移送される。
【００３５】
図６（Ａ）には、大きな物品Ａ（１）を梱包した場合が示され、また図６（Ｂ）には、それよりも小さい物品Ａ（２）を梱包した場合が示される。この場合、各山折り部２の角度αおよび各谷折り部βが自在に弾性変形可能であることから、被梱包物品Ａの大小、形状に応じてそれの角度を変えて、被梱包物品Ａの外側面を支持することができる。また、図６（Ａ）に示すように、大きな被梱包物品Ａ（１）を梱包するときは、谷折り部３…の物品Ａ（１）への圧接係止箇所が多くなり、また、平板材の自由端同士の重なり合う部分の長さが短くなり、図６（Ｂ）に示すように、小さな被梱包物品Ａ（２）を梱包するときは、谷折り部３…の物品Ａ（２）への圧接係止箇所が少なくなり、また梱包体の自由端部の重なり合う部分の長さが長くなる。
【００３６】
以上のように、この実施例にかかる梱包体によれば、物品の大きさ、形状にかかわらず、同じ態様にて、簡単、容易に物品を梱包することができ、しかも繰り返し物品を梱包することができ、再使用ができる。
【００３７】
また複数の谷折り部３…により被梱包物品Ａを安定して保持することができる。また、梱包体は、複数の山折り部２…と谷折り部３…とで平面視でジグザグ状の星状に形成されるので、被梱包物品Ａが重量物であっても横倒れすることがなく、大きな横方向の保持耐力を発揮することができ、しかも梱包済みの被梱包物品を段積みする際には、段毎に仕切りを設けるだけで段積みが可能になる。
【００３８】
また、差込舌片を差込スリットに差し込むだけで梱包できるので梱包および梱包解除操作がきわめて簡単である。
【００３９】
さらに、梱包体は不使用時には、平板状にすることができるので、重ねてストックでき運搬に便利であるばかりでなく広い格納スペースを必要とせず、格納箇所に確保が容易である。
【００４０】
さらにまた、梱包体は平板材により形成できるので  きわめて廉価に提供することができる。
【００４１】
図７には、この実施例の梱包体を用いて複数の被梱包物品を梱包した場合の一態様が示される。
【００４２】
図７において梱包体により梱包された、被梱包物品Ａの複数箇を設置面上に並置したときに、各梱包体は、平面視で多角筒状（星状）であるため、隣接する複数の梱包体により囲まれる新たな多角形状の新たな収容空間Ｓを形成することができ、その収容空間Ｓに配置される他の物品Ａ′をそれらの複数の梱包体により梱包することが可能になる。
【００４３】
つぎに、図８〜１０を参照して本発明の第２実施例について説明する。
【００４４】
図８は、物品を梱包した状態を示す梱包体の斜視図、図９は、図８の９矢視図、図１０は、他の物品を梱包したときの図９と同じ図である。
【００４５】
この第２実施例の梱包体の主体部は、無端状の多角形状の筒状体１１により形成されており、この筒状体１１の覆幅Ｄ′、すなわち上下幅は、梱包される物品Ａの外側面を取り囲み得る長さに形成される。この筒状体１１は、ポリプロピレン、ポリエチレンの混合物で形成されるスポンジなどの弾性合成樹脂板により一体成型されている。筒状体１１には、その周方向に等間隔をあけて複数の山折り線Ｌ１０…と谷折り線Ｌ２０…が交互に入れられており、それらの山折り線Ｌ１０…と谷折り線Ｌ２０…に沿って交互に反対方向に折り曲げられて、山折り部１０…と谷折り部２０…が交互に形成されて蛇腹状をなしている。筒状体１１には、その上下方向の中間部において、その周方向に環状の紐条１５が挿通され、この紐条１５の集合端部に、止具１６が挿通されている。そして、この止具１６を締付方向、すなわち紐条に対して筒状体１１に近づく方向に移動（図８、矢印ａ方向）させることにより、筒状体は径方向収縮されて梱包空間が縮小され、また、止具１６を弛緩方向、すなわち紐条１５に対して筒状体１１から離れる方向に移動させることにより、筒状体１１は径方向に拡張され、梱包空間が拡大される。
【００４６】
つぎに、この梱包体を用いて物品を梱包する手順について説明する。
【００４７】
図８，９に示すように、筒状体１１よりなる梱包体を、被梱包物品Ａの外側に配置する。つぎに、紐１５条に対して止具１６をａ方向に移動させれば、筒状体１１は縮径され、複数の谷折り部２０…は、被梱包物品Ａの外側面に周方向に間隔をあけて弾発圧接され、該物品Ａの外側面は梱包体により当接支持された状態で梱包される。
【００４８】
図９には、大きなを梱包した場合が示され、また、図１０には、それよりも小さい被梱包物品Ａ（２）を梱包した場合が示される。この場合、山折り部の角度αおよび谷折り部の角度βは自在に弾性変形可能であることから、梱包する物品の大きさ、形状に応じてそれらの角度を変えて物品を梱包することができる。
【００４９】
以上、本発明の第１、第２実施例について説明したが、本発明はこれらのその実施例に限定されることなく、本発明の範囲内で種々の実施例が可能である。
【００５０】
たとえば、被梱包物品がどのような形状であっても対応することができ、また、平板材の形状は、前記実施例以外の形状であってもよいことは勿論である。
【図面の簡単な説明】
【００５１】
【図１】被梱包物品を梱包した状態を示す梱包体の斜視図（第１実施例）
【図２】図１の２矢視図
【図３】平板材１の展開正面図
【図４】平板材を山折り線および谷折り線に沿って折り込み成形した状態の斜視図
【図５】図３の５−５線に沿う拡大断面図
【図６】大きさの異なる被梱包物品を梱包した状態を示す梱包体の平面図
【図７】複数の被梱包物品の梱包の一使用態様を示す図
【図８】物品を梱包した状態を示す梱包体の斜視図（第２実施例）
【図９】図８の９矢視図
【図１０】他の物品を梱包したときの図９と同じ図
【符号の説明】
【００５２】
１            平板材
２，１２      山折り角度
３，１３      谷折り角度
４            平面部分
５            差込スリット
６            折り溝
７            差込舌片
１１            筒状体
１５            紐条
Ａ            被梱包物品
Ｄ            覆幅（上下幅）
Ｌ１，Ｌ１０    山折り線
Ｌ２，Ｌ２０    谷折り線
α              折り曲げ角
β              折り曲げ角
Ｓ              収容空間
【図１】
2009173316.tif 000003
【図２】
2009173316.tif 000004
【図３】
2009173316.tif 000005
【図４】
2009173316.tif 000006
【図５】
2009173316.tif 000007
【図６】
2009173316.tif 000008
【図７】
2009173316.tif 000009
【図８】
2009173316.tif 000010
【図９】
2009173316.tif 000011
【図１０】
2009173316.tif 000012